(57)【要約】【課題】効率良く、省エネで衣類の除菌、消臭及び仕上げができる洗濯機を提供する。【解決手段】除菌・消臭コースの最終すすぎ工程において、給水弁４、金属イオン発生手段７を作動させて、回転ドラム３内に、金属イオンと布量に応じた第二の設定水位よりも低い第一の設定水位までの水を投入させた後、所定時間だけ回転ドラム３を回転させながら循環ポンプ８を作動させるとともに、その後、給水弁４を作動させて、回転ドラム３内に、柔軟剤と第二の設定水位までの水を投入させた後、所定時間だけ回転ドラム３を回転させながら循環ポンプ８を作動させる構成とすることにより、最終すすぎ時に、先に金属イオンを均一に洗濯物に付着させた後に、濃度の高い柔軟剤を付着させることで、金属イオンと柔軟剤の効果を両立させることができるとともに、電気、水、時間を必要以上に多く消費することを防止することができる。【選択図】図１
2019058605.tif 000002
【特許請求の範囲】
【請求項１】
本体と、前記本体内に揺動自在に弾性支持された外槽と、前記外槽内に回転自在に内包された回転ドラムと、前記回転ドラムを回転駆動するモータと、前記本体に設けられ複数の水路を開閉可能な多方弁構成を有する給水弁と、前記本体に設けられ洗剤投入部と柔軟剤投入部を有する洗剤ケースと、運転コースなどを入力設定する入力設定部とその設定内容などを表示する表示部とを有する操作表示部と、前記給水弁と前記洗剤ケース間に接続された第一の給水経路および第二の給水経路と、前記給水弁に接続された金属イオンを発生させる金属イオン発生手段と、前記外槽内の洗濯水を前記回転ドラム内に噴出させる循環ポンプと、前記外槽内の水位を検出する水位検出手段と、前記給水弁、金属イオン発生手段、循環ポンプなどを制御し、洗い、すすぎ、脱水あるいは除菌・消臭などの一連の行程を制御する制御装置とを備え、前記制御装置は、除菌・消臭コースの最終すすぎ行程において、前記給水弁、および前記金属イオン発生手段を作動させて、前記回転ドラム内に、金属イオンと布量に応じた第二の設定水位よりも低い第一の設定水位まで水を注水し、所定時間だけ前記回転ドラムを回転させながら前記循環ポンプを作動させるとともに、前記給水弁を作動して、前記回転ドラム内に、柔軟剤と第二の設定水位までの水を注水し、所定時間だけ前記回転ドラムを回転させながら前記循環ポンプを作動させる洗濯機。
【請求項２】
制御装置は、除菌・消臭コースの最終すすぎ工程において、第一の設定水位まで給水後に循環ポンプを作動させる時間を、給水された水量が１回循環できるだけの時間以上に設定した請求項１に記載の洗濯機。
【発明の詳細な説明】
【技術分野】
【０００１】
本発明は、除菌、消臭作用を有する金属イオンや柔軟剤などの仕上剤を用いて洗濯物の仕上げを行うことができる洗濯機に関するものである。
【背景技術】
【０００２】
従来、この種の洗濯機として、洗濯物を清潔に仕上げるために、洗濯を行う際の洗濯水やすすぎ水の給水時に、銀イオンなどの金属イオンを溶出させ、除菌、消臭作用を衣類に与える構成が提案されている（例えば、特許文献１参照）。
【０００３】
除菌、抗菌機能を有する金属イオンは、陽イオンであるため、最終すすぎ時に投入すると、同じ陽イオンの柔軟剤とすすぎ液中で反発し合い、柔軟剤が先に洗濯物に付着した場合、金属イオンの洗濯物への付着が阻害され、除菌、抗菌効果が均一に発揮できない。
【０００４】
特許文献１に記載された洗濯機は、この問題を解決するために、金属イオンと柔軟剤を別々のすすぎ工程で投入し、かつ金属イオンは、より先行するすすぎ工程で投入する構成を採用している。
【０００５】
図３は、特許文献１に記載された従来の洗濯機で、金属イオン及び仕上剤の投入シーケンスのフローチャートを示す。洗濯行程の洗い行程を省略してすすぎ行程と脱水行程の一部のみを取り出して示している。図４は、同洗濯機の金属イオンすすぎ行程のフローチャート、図５は、同洗濯機の仕上剤すすぎ行程のフローチャートである。
【０００６】
図３、図４、図５において、１回目のすすぎ行程（ステップＳ４００−１）の後、ステップＳ４０７にて金属イオン投入が選択される（ステップＳ４０７のＹＥＳ）と、ステップＳ４００Ａの金属イオンすすぎ行程へ移行する。
【０００７】
金属イオンすすぎ行程では、最初にステップＳ５００の脱水行程を行なう。脱水後、ステップＳ４０１Ａにて給水弁（図示せず）を開いて、イオン溶出ユニット（図示せず）に所定流量の水を流し、その水に金属イオンが溶出され、金属イオンが添加された水が洗濯物を収容するドラム（図示せず）内に投入される。
【０００８】
所定量の金属イオンが溶出した水が投入され、引き続き設定水位まで給水されると、なじませタンブリング（ステップＳ４０２）を行った後、ステップＳ４０５Ａにて、金属イオンを洗濯物に均等に付着させるための攪拌（タンブリング）を行う。その後、脱水に備えてドラム内で洗濯物のバランスを整える（ステップＳ４０６）。
【０００９】
その後、ステップＳ４０８にて仕上剤投入が選択される（ステップＳ４０８のＹＥＳ）と、ステップＳ４０ＯＢの仕上剤すすぎ行程へ移行する。
【００１０】
仕上剤すすぎ行程では、最初にステップＳ５００の脱水行程を行なう。脱水後、ステップＳ４０１Ｂにて給水弁（図示せず）を開いて、仕上剤室（図示せず）に水を流す。そして、仕上剤は、水と共にドラム内へ投入される。
【００１１】
仕上剤が投入され、設定水位まで給水されると、なじませタンブリング（ステップＳ４０２）を行った後、ステップＳ４０５Ｂにて、仕上剤を洗濯物に均等に付着させるための攪拌（タンブリング）を行う。その後、脱水に備えてドラム内で洗濯物のバランスを整える（ステップＳ４０６）。その後、脱水行程（ステップＳ２０４）へ移行する。
【先行技術文献】
【特許文献】
【００１２】
【特許文献１】特開２００４−２１５８１７号公報
【発明の概要】
【発明が解決しようとする課題】
【００１３】
しかしながら、前記従来の構成では、金属イオンと柔軟剤などの仕上剤を衣類に効果的に付着させるために、２回目のすすぎ行程に金属イオンを投入し、３回目のすすぎ行程に柔軟剤を投入するため、すすぎ動作を３回行っている。
【００１４】
すすぎ性能を確保するためには、すすぎ動作は、通常２回行われるのに対して、３回行う従来の構成は、電気や水のエネルギーを必要以上に多く消費し、さらには、時間も必要以上に多く消費するという課題があった。
【００１５】
本発明は、上記従来の課題を解決するもので、除菌、消臭機能を有する金属イオンと柔軟剤をお互いの効果を阻害することなく投入することにより、金属イオンと柔軟剤の効果を両立させることができるとともに、電気、水、時間を必要以上に多く消費することのない洗濯機を提供することを目的とする。
【課題を解決するための手段】
【００１６】
前記従来の課題を解決するために、本発明の洗濯機は、本体と、前記本体内に揺動自在に弾性支持された外槽と、前記外槽内に回転自在に内包された回転ドラムと、前記回転ドラムを回転駆動するモータと、前記本体に設けられ複数の水路を開閉可能な多方弁構成を有する給水弁と、前記本体に設けられ洗剤投入部と柔軟剤投入部を有する洗剤ケースと、運転コースなどを入力設定する入力設定部とその設定内容などを表示する表示部とを有する操作表示部と、前記給水弁と前記洗剤ケース間に接続された第一の給水経路および第二の給水経路と、前記給水弁に接続された金属イオンを発生させる金属イオン発生手段と、前記外槽内の洗濯水を前記回転ドラム内に噴出させる循環ポンプと、前記外槽内の水位を検出する水位検出手段と、前記給水弁、金属イオン発生手段、循環ポンプなどを制御し、洗い、すすぎ、脱水あるいは除菌・消臭などの一連の行程を制御する制御装置とを備え、前記制御手段は、除菌・消臭コースの最終すすぎ行程において、前記給水弁、および前記金属イオン発生手段を作動させて、前記回転ドラム内に、金属イオンと布量に応じた第二の設定水位よりも低い第一の設定水位まで水を注水し、所定時間だけ前記回転ドラムを回転させながら前記循環ポンプを作動させるとともに、前記給水弁を作動して、前記回転ドラム内に、柔軟剤と第二の設定水位までの水を注水し、所定時間だけ前記回転ドラムを回転させながら前記循環ポンプを作動させるものである。
【発明の効果】
【００１７】
本発明の洗濯機は、最終すすぎ行程において、低濃度の金属イオンを先に衣類に付着させ、高濃度の柔軟剤を後から衣類へ付着させることにより、お互いの効果を阻害することなく両立させ、電気、水、時間を必要以上に多く消費することがない。
【図面の簡単な説明】
【００１８】
【図１】本発明の実施の形態における洗濯機の縦断面図
【図２】同洗濯機の除菌・消臭コースのフローチャート
【図３】従来の洗濯機の金属イオン及び仕上剤の投入シーケンスのフローチャート
【図４】同洗濯機の金属イオンすすぎ行程のフローチャート
【図５】同洗濯機の仕上剤すすぎ行程のフローチャート
【発明を実施するための形態】
【００１９】
第１の発明は、本体と、前記本体内に揺動自在に弾性支持された外槽と、前記外槽内に回転自在に内包された回転ドラムと、前記回転ドラムを回転駆動するモータと、前記本体に設けられ複数の水路を開閉可能な多方弁構成を有する給水弁と、前記本体に設けられ洗剤投入部と柔軟剤投入部を有する洗剤ケースと、運転コースなどを入力設定する入力設定部とその設定内容などを表示する表示部とを有する操作表示部と、前記給水弁と前記洗剤ケース間に接続された第一の給水経路および第二の給水経路と、前記給水弁に接続された金属イオンを発生させる金属イオン発生手段と、前記外槽内の洗濯水を前記回転ドラム内に噴出させる循環ポンプと、前記外槽内の水位を検出する水位検出手段と、前記給水弁、金属イオン発生手段、循環ポンプなどを制御し、洗い、すすぎ、脱水あるいは除菌・消臭などの一連の行程を制御する制御装置とを備え、前記制御手段は、除菌・消臭コースの最終すすぎ行程において、前記給水弁、および前記金属イオン発生手段を作動させて、前記回転ドラム内に、金属イオンと布量に応じた第二の設定水位よりも低い第一の設定水位まで水を注水し、所定時間だけ前記回転ドラムを回転させながら前記循環ポンプを作動させるとともに、前記給水弁を作動して、前記回転ドラム内に、柔軟剤と第二の設定水位までの水を注水し、所定時間だけ前記回転ドラムを回転させながら前記循環ポンプを作動させるものである。
【００２０】
金属イオンを投入する第一の給水経路と柔軟剤を投入する第二の給水経路を有し、金属イオンと柔軟剤を別々に投入することができる。最終すすぎ時の水位は、金属イオン投入時の第一の設定水位と柔軟剤投入時の第二の設定水位を設定している。金属イオンは、水とともに第一の設定水位まで洗濯槽に投入する。金属イオンを含む水を循環ポンプにより洗濯物に噴きかけ、洗濯物に金属イオンを付着させる。次に、柔軟剤と水を第二の設定水位まで洗濯槽に投入し、循環ポンプにより洗濯物にかけ、柔軟剤を洗濯物に付着させる。金属イオン濃度に比べ、柔軟剤の濃度は非常に高いため、先に金属イオンが均一に洗濯物に付着していても、柔軟剤の効果が失われることはなく、洗濯物に除菌、抗菌効果と柔軟効果の両方を付与することができる。
【００２１】
これによって、最終すすぎ時に金属イオンと柔軟剤の効果を両立させながら投入することが可能となり、無駄な電気・水・時間を浪費することのない洗濯機が実現できる。
【００２２】
第２の発明は、特に、第１の発明の制御装置は、除菌・消臭コースの最終すすぎ工程において、第一の設定水位まで給水後に循環ポンプを作動させる時間を、給水された水量が１回循環できるだけの時間以上に設定したものである。
【００２３】
これにより、洗濯槽に給水された金属イオン水が少なくとも１回は洗濯物に噴きかけられるように制御することができる。これにより、洗濯物と１回も接触しない無駄な金属イオンをなくすことができ、効率よい除菌、抗菌機能が付与できる。
【００２４】
（実施の形態１）
以下、発明の実施の形態について、図面を参照しながら説明する。また、この実施の形態によって本発明が限定されるものではない。
【００２５】
図１は、本発明の実施の形態における洗濯機の縦断面図である。
【００２６】
図１に示すように、本体１内には、サスペンション（図示せず）によって外槽２が揺動自在に弾性支持されている。外槽２内には、有底円筒状に形成された回転ドラム３が、軸心方向を正面側から背面側に向けて下向きに傾斜させて回転自在に支持されている。
【００２７】
外槽２の正面側には、回転ドラム３の開口端に通じる衣類出入口１３が形成され、本体
１の正面側の上向き傾斜面に設けられた開口部を開閉可能に閉じる扉１５を開くことにより、衣類出入口１３を通じて回転ドラム３内に洗濯物を出し入れすることができる。
【００２８】
回転ドラム３には、周面に外槽２内に通じる多数の透孔６が形成され、内周面の複数位置に衣類攪拌用の攪拌突起（図示せず）が設けられている。回転ドラム３は、外槽２の背面側に取り付けられたモータ１４によって、正転及び逆転方向に回転駆動される。
【００２９】
モータ１４の背面には、モータ１４の回転を検知するための回転検知部１９が設けられており、モータ１４の回転数検知を行なうことにより、布量検知制御や回転ドラム３の回転数制御を行なっている。本体１の前部内面には、洗濯機の動作を制御する制御装置２０が設けられている。
【００３０】
本体１内の後方上部には、２個以上の水路が開閉可能な多方弁構成を有する給水弁４が配設されており、洗い時には、第一の給水経路２２から引き出し自在な洗剤ケース２１の洗剤投入部（図示せず）を経由し、注水管路１７を介して外槽２に給水され、すすぎ時には、第二の給水経路６から洗剤ケース２１の柔軟剤投入部（図示せず）を経由し、注水管路１７を介して外槽２に給水される。
【００３１】
給水弁４には、洗濯物の除菌、消臭を行うための銀イオンなどの金属イオンを発生させる金属イオン発生手段７が接続されており、最終すすぎ時に、給水弁４から金属イオン発生手段７、第三の給水経路５を介して、外槽２内に金属イオンと水を供給する。
【００３２】
外槽２には、外槽２内の水位を検知する水位検知手段（図示せず）が接続されている。
【００３３】
外槽２下部には、排水管路１８が配管接続され、排水弁（図示せず）の制御によって外槽２から機外へ排水される。
【００３４】
外槽２下部には、循環ポンプ８が接続され、循環ポンプ８によって、必要に応じて外槽２内の洗濯水を、循環ホース２３を介して外槽２上部より外槽２内へ循環させる。
【００３５】
本体１の前面上部には、操作表示部１６が設けられ、操作表示部１６から使用者が入力設定部（図示せず）へ入力して運転コース等のモードや各種機能の選択を行い、入力情報は、操作表示部１６の表示部（図示せず）により表示して使用者に知らせる。
【００３６】
基本的な洗濯動作は、扉１５を開いて回転ドラム３内に洗濯物を投入し、洗剤ケース２１の洗剤投入部に洗剤を投入すると共に、柔軟剤投入部に柔軟剤を投入する。操作表示部１６を操作することにより運転を開始させると、給水弁４が開き、第一の給水経路２２から注水管路１７を介して外槽２内に所定量の注水と洗剤投入がなされ、モータ１４により回転ドラム３が回転駆動されて、洗い行程が開始される。
【００３７】
回転ドラム３内に収容された洗濯物は、回転ドラム３の回転により、回転ドラム３の内周壁に設けられた攪拌突起によって回転方向に持ち上げられ、持ち上げられた適当な高さ位置から落下する攪拌動作が繰り返されるので、洗濯物には叩き洗いの作用が及んで洗いがされる。
【００３８】
所要の洗い時間の後、汚れた洗濯液は、排水管路１８から排出され、回転ドラム３を高速回転させる脱水動作により洗濯物に含まれた洗濯液を脱水する。その後、外槽２内に第一の給水経路２２、注水管路１７から注水して、すすぎ行程が実施される。回転ドラム３内に収容された洗濯物は、すすぎ行程においても回転ドラム３の回転により、攪拌突起により持ち上げられて落下する攪拌動作が繰り返されて、すすぎ洗いが実施される。すすぎ
行程が終了すると、排水され、回転ドラム３を高速回転させる脱水動作により洗濯物の水分を脱水し、洗濯を終了する。洗濯動作については、図２を用いて詳述する。
【００３９】
本実施の形態の洗濯機には、回転ドラム３内に収容した洗濯物を乾燥する乾燥機能が設けられている。乾燥は、外槽２内の空気を循環送風経路１１により排気し、除湿して加熱し、乾燥させた空気を再び外槽２内に送風する。循環送風経路１１の途中には、圧縮機、放熱器などの加熱手段、減圧器、蒸発器などの除湿手段を配管で連結したヒートポンプユニット１２、及び送風手段である送風ファン９が設けられている。
【００４０】
乾燥機能を利用した乾燥行程では、循環送風経路１１を循環される空気中に、主として衣類などの洗濯物から発生する糸くずなどの異物が混じって循環する。循環空気中の異物は、フィルター１０によって除去される。フィルター１０による異物の除去により、異物による、蒸発器や凝縮器の目詰まり、送風ファン９の回転部への噛み込み、送風ファン９の内面への堆積といった支障を抑制することができる。
【００４１】
以上のように構成した洗濯機について、以下に動作、作用を説明する。
【００４２】
図２は、本発明の実施の形態における洗濯機の除菌・消臭コースのフローチャートである。なお、図２のフローチャートは、最終すすぎ行程を中心に記載している。
【００４３】
図２において、使用者が扉１５を開いて回転ドラム３内に洗濯物を投入し、洗剤ケース２１の洗剤投入部に洗剤を投入すると共に、柔軟剤投入部に柔軟剤を投入する。操作表示部１６の操作により除菌・消臭コースを選択して運転をスタートさせる。
【００４４】
ステップＳ１にて、給水弁４が動作して給水を開始し、第一の給水経路２２から洗剤ケース２１の洗剤投入部を経由して、注水管路１７を介して洗剤と水を外槽２に投入する（ステップＳ２）。外槽２内の水位が洗濯量に応じて設定された第二の設定水位Ｐ１に到達すると、洗い行程を始める（ステップＳ３）。
【００４５】
洗い行程では、前述のように、回転ドラム３の回転により、攪拌動作が繰り返され、洗濯物には、叩き洗いの作用が及んで洗いがなされる。
【００４６】
洗い行程が終了すると、ステップＳ４のすすぎ行程へ移行する。すすぎ行程では、汚れた洗濯液を排水管路１８から外部へ排出した後、回転ドラム３を高速回転させて脱水を行う。脱水終了後、給水弁４を開き、第一の給水経路２２を介して外槽２に給水し、すすぎ１回目のすすぎ攪拌を実施する。すすぎ攪拌においても、回転ドラム３内に収容された洗濯物は回転ドラム３の回転により、攪拌突起にて持ち上げられて落下する動作が繰り返されて、すすぎを実施する。
【００４７】
次に、最終すすぎ行程へ移行して、１回目のすすぎ行程と同様に、排水、脱水を行う（ステップＳ５）。
【００４８】
最終すすぎ行程の後、ステップＳ６にて、給水弁４を開き、金属イオン発生手段７を動作させて、水と金属イオンを第三の給水経路５から外槽２に投入する。
【００４９】
外槽２内の水位が、第二の設定水位Ｐ１より低い第一の設定水位Ｐ０に到達する（ステップＳ７のＹｅｓ）と、給水と金属イオン投入を停止（ステップＳ８）する。モータ１４と循環ポンプ８を駆動して、回転ドラム３をゆっくり回転させながら、金属イオンが溶出した洗濯水を外槽２の上部から回転ドラム３内の洗濯物に噴きかける（ステップＳ９）。
【００５０】
金属イオンの溶けた洗濯水を洗濯物に噴きかける動作は、金属イオンが洗濯物に均一に付着するのに十分な時間継続される。例えば、第一の設定水位Ｐ０までに給水された給水量が１５Ｌで、循環ポンプ８の循環流量が１０Ｌ/分とした場合に、金属イオンを含んだ水が少なくとも１回は洗濯物に噴きかけられるように、循環ポンプ８の作動時間は、１．５分以上に設定している。
【００５１】
そして、所定時間Ｔ０が経過する（ステップＳ１０のＹｅｓ）と、モータ１４を停止して回転ドラム３の回転を停止し、循環ポンプ８を停止する（ステップＳ１１）。
【００５２】
その後、給水弁４を開き、第二の給水経路６から洗剤ケース２１の柔軟剤投入部を経由し、注水管路１７を介して柔軟剤と水を回転ドラム３に投入する（ステップＳ１２）。
【００５３】
そして、水位が第二の設定水位Ｐ１に到達する（ステップＳ１３のＹｅｓ）と、給水を停止し（ステップＳ１４）、モータ１４と循環ポンプ８を駆動して、回転ドラム３をゆっくり回転させながら、柔軟剤を含んだ洗濯水を外槽２の上部から回転ドラム３内の洗濯物に噴きかける（ステップＳ１５）。
【００５４】
なお、柔軟剤の溶けた洗濯水を洗濯物に噴きかける動作は、柔軟剤が洗濯物に均一に付着する十分な時間継続される。例えば、第二の設定水位Ｐ１まで給水された追加の給水量が１５Ｌで、循環ポンプ８の循環流量が１０Ｌ/分とした場合には、柔軟剤を含んだ水が少なくとも１回は洗濯物に噴きかけられるように、循環ポンプ８の作動時間は、１．５分以上に設定している。
【００５５】
そして、所定時間Ｔ１が経過する（ステップＳ１６のＹｅｓ）と、モータ１４を停止して回転ドラム３の回転を停止し、循環ポンプ８を停止する（ステップＳ１７）。
【００５６】
その後、ステップＳ１８に移行し、回転ドラム３内に収容された洗濯物が回転ドラム３の回転により、攪拌突起にて持ち上げられて落下する動作が繰り返されるすすぎ攪拌が行われた後、次行程の最終脱水行程（ステップＳ１９）へ移行し、最終脱水行程が終了すると、運転を終了する。
【００５７】
以上のように、本実施の形態においては、除菌・消臭コースの最終すすぎ行程において、給水弁４、金属イオン発生手段７を作動させて、回転ドラム３内に、金属イオンと布量に応じた第二の設定水位よりも低い第一の設定水位までの水を投入した後、所定時間だけ回転ドラム３を回転させながら循環ポンプ８を作動させる。その後、給水弁４を作動して、回転ドラム３内に、柔軟剤と第二の設定水位までの水を投入させ、所定時間、回転ドラム３を回転させながら循環ポンプ８を作動させる構成とする。
【００５８】
これにより、同じ陽イオンで反発する金属イオンと柔軟剤について、最終すすぎ時に、先に金属イオンを均一に洗濯物に付着させ、その後に、濃度の高い柔軟剤を付着させることで、金属イオンと柔軟剤の効果を両立させることができる。また、電気、水、時間を必要以上に多く消費することを防止することができる。
【００５９】
また、第一の設定水位まで給水後に循環ポンプ８を作動させる時間を、給水された水量が１回循環できるだけの時間以上とした構成とする。これにより、給水された金属イオンを含む洗濯水が少なくとも１回は洗濯物に噴きかけられるようにすることができるので、効率良く除菌、消臭することができる。
【産業上の利用可能性】
【００６０】
以上のように、本発明にかかる洗濯機は、最終すすぎ時に、先に金属イオンを均一に洗
濯物に付着させた後に、濃度の高い柔軟剤を付着させることで、金属イオンと柔軟剤の効果を両立させることができるとともに、電気、水、時間を必要以上に多く消費することを防止することができるので、除菌・消臭機能を有する他の洗濯機の用途に適用できる。
【符号の説明】
【００６１】
１  本体
２  外槽
３  回転ドラム
４  給水弁
６  第二の給水経路
７  金属イオン発生手段
８  循環ポンプ
１４  モータ
１６  操作表示部
２０  制御装置
２１  洗剤ケース
２２  第一の給水経路
【図１】
2019058605.tif 000003
【図２】
2019058605.tif 000004
【図３】
2019058605.tif 000005
【図４】
2019058605.tif 000006
【図５】
2019058605.tif 000007